(57)【要約】      （修正有）【課題】キャタピラ型の外装材において、異物侵入しやすい隙間を無くす。【解決手段】樹脂製のキャタピラ本体２と、異物遮断用のシャッター３とからなり、シャッターは伸縮可能なゴム、エラストマー、軟質樹脂または繊維材からなる。キャタピラ本体は、複数の四角枠状のブロックの底壁が薄肉ヒンジ部１３を介して順次連結されていると共に連結されたブロックの中空部がワイヤハーネス挿通路とされ、底壁が内周側となって、前後に隣接する前記ブロックの左右側壁の前後間および外周壁の前後間が開閉して屈曲可とされる。シャッターは、キャタピラ本体と同じ長さを備えると共に長さ方向と直交方向の断面形状がコ字形であり、左右両側部がブロックの左右両側壁の内面に沿うと共に中央連結部がブロックの外周壁の内面に沿い、かつ、隣接するブロックの左右両側壁の前後間および外周壁の前後間の隙間を通して延在し、隙間を外部から遮断している。【選択図】図１
2017085741.tif 000002
【特許請求の範囲】
【請求項１】
移動するワイヤハーネスに追従可とした樹脂製のキャタピラ本体と、該キャタピラ本体に組み付けられる異物遮断用のシャッターとからなり、
前記シャッターは伸縮可能なゴム、エラストマー、軟質樹脂または繊維材からなり、
前記キャタピラ本体は、複数の四角枠状のブロックの底壁が薄肉ヒンジ部を介して順次連結されていると共に連結されたブロックの中空部がワイヤハーネス挿通路とされ、前記底壁が内周側となって、前後に隣接する前記ブロックの左右側壁の前後間および外周壁の前後間が開閉して屈曲可とされ、
前記シャッターは前記キャタピラ本体と同じ長さを備えると共に長さ方向と直交方向の断面形状がコ字形であり、該シャッターの左右両側部が前記ブロックの左右両側壁の内面に沿うと共に該シャッターの中央連結部が前記ブロックの外周壁の内面に沿い、かつ、隣接する前記ブロックの左右両側壁の前後間および外周壁の前後間の隙間を通して延在し、該隙間を外部から遮断している構成であることを特徴とするワイヤハーネスの外装材。
【請求項２】
前記各ブロックは、前記底壁の左右両端から第１縦壁と第２縦壁とからなる前記左右側壁を突設している断面凹形状の基部と、該基部の第１縦壁の先端に薄肉ヒンジ部を介して連続させた蓋部を備え、該蓋部と前記第２縦壁に設けたロック部と被ロック部をロックしてワイヤハーネス挿通路となる中空部を有する四角枠となり、
前記底壁の前後下部にストッパー部を設け、隣接するブロックの前記ストッパー部同士が接触して屈曲時の曲げ角度を維持する構成としている請求項１に記載のワイヤハーネスの外装材。
【請求項３】
自動車に搭載するスライドシートとフロアとの間に配索するスライドシート用のワイヤハーネスの外装材として用いられる請求項１または請求項２に記載のワイヤハーネスの外装材。
【発明の詳細な説明】
【技術分野】
【０００１】
本発明はワイヤハーネスの外装材に関し、詳しくは、車両用スライドシートの下方に配索するワイヤハーネスに取り付けるキャタピラ型外装材を改良するものである。
【背景技術】
【０００２】
従来、自動車等の車両に配索するワイヤハーネスの電線群は、コルゲートチューブ、プロテクタ等の外装材で外装し、あるいは粘着テープを巻き付けて集束保護している。ワイヤハーネスがスライドシート、スライドドア等に配索され、シートやドアの移動に応じてワイヤハーネスも移動する場合、該ワイヤハーネスの全長を屈曲可能なコルゲートチューブで外装している場合が多い。
前記コルゲートチューブを外装材として用いると、コルゲートチューブは全周のいずれの方向にも屈曲できるため、屈曲方向の規制ができず、狭い領域に配索する場合には周辺機器と接触する恐れがある。
【０００３】
前記問題に対して、本出願人は特開２０１３−４９４０２号公報で、スライドシートに接続するワイヤハーネスの外装材として、図６に示すような、組立式四角筒状のキャタピラ型の外装材１００を提供している。該キャタピラ型の外装材１００は、樹脂製の帯状の平板１０１に長さ方向Ｘに延在する４本の折曲ラインＡ〜Ｄを幅方向Ｙの中間部に間隔をあけて設け、かつ、幅方向の両側縁の一方側に係止突片１０２を設けると共に他方側に係止穴１０３を設け、折曲ラインＡ〜Ｄに沿って折り曲げて四角筒形状とすると共に、係止穴１０３に係止突片１０２を挿入係止して四角筒に保持している。かつ、折曲ラインＡ〜Ｄを結ぶ幅方向に切込ラインＫを長さ方向に間隔をあけて設け、四角筒の３辺１１１、１１２、１１３を分離させている。
【０００４】
前記のように組み立てた外装材１００は分離された中央の辺１１２と対向する切込ラインＫが無い辺１１４は伸びることができない。よって、図６（Ｂ）に示すように、ワイヤハーネス２００に外装した外装材１００は、辺１１２が外周側となって一方向きＺ１にのみ屈曲でき、辺１１２が内周側となる他方向きＺ２に屈曲できない。
このように、前記外装材１００は一方向にのみ屈曲できるため、屈曲方向を規制して周辺機器との接触を防止する必要があるワイヤハーネスの外装材として好適に用いることができる。
【０００５】
このように、特許文献１のキャタピラ型の外装材１００は、幅方向の切込ラインＫにより一方向に屈曲させることができる利点がある。よって、図６（Ｃ）に示すように、スライドシート１５０に接続するスライドシート用のワイヤハーネス２００を外装材１００で外装し、該ワイヤハーネスの上方の一端Ｐ１をスライドシート１５０の下面に固定し、下方の他端Ｐ２をフロア１６０側に固定して用いることができる。
【先行技術文献】
【特許文献】
【０００６】
【特許文献１】特開２０１３−４９４０２号公報
【発明の概要】
【発明が解決しようとする課題】
【０００７】
図６（Ｃ）に示すように、スライドシートとフロアとの間に配索するスライドシート用のワイヤハーネス２００はスライドシート１５０が図中矢印ＦＲで示す前後に移動すると、追従して外装材１００で外装したワイヤハーネスが矢印ｆｒで示す前後方向に移動する。其の際、外装材１００は内周側に切込ラインＫが無く伸びのない辺１１４を位置させ、外周側に切込ラインＫを設けた辺１１２、両側面にも切込ラインＫを設けた辺１１１、１１３を位置させることとなる。
【０００８】
外装材１００は、両側辺および外周辺に切込ラインＫが入るため、特に、図６（Ｂ）（Ｃ）の矢印（ａ）で示す屈曲箇所で切込ラインＫが開き、外装材１００の外周面および両側面に隙間（Ｓ１）が発生する。
【０００９】
前記のように外装材の外周面および両側面に隙間（Ｓ１）が発生すると、該隙間に外部から異物が混入しやすくなる。小石や釘等の比較的大きな異物が入ると隙間から出にくくなり、屈曲状態のままとなって直線状に戻らなくなる屈曲障害が発生する恐れがある。かつ、内部からワイヤハーネスの電線が開いた切込ラインを通して外部にはみ出しやすくなる。このように異物の混入、電線のはみ出しが発生した状態のままで、スライドシートを稼働させると、内部に配索された電線に損傷が発生しやすくなり、断線の恐れもある。
【００１０】
本発明は前記キャタピラ型の外装材において、屈曲可能とするための幅方向の切込を設けながら、該切込で分離された隣接辺の側面間の隙間を無くして、異物侵入および電線のはみ出しを防止できるようにすることを課題としている。
【課題を解決するための手段】
【００１１】
前記課題を解決するため、移動するワイヤハーネスに追従可とした樹脂製のキャタピラ本体と、該キャタピラ本体に組み付けられる異物遮断用のシャッターとからなり、
前記シャッターは伸縮可能なゴム、エラストマー、軟質樹脂または繊維材からなり、
前記キャタピラ本体は、複数の四角枠状のブロックの底壁が薄肉ヒンジ部を介して順次連結されていると共に連結されたブロックの中空部がワイヤハーネス挿通路とされ、前記底壁が内周側となって、前後に隣接する前記ブロックの左右側壁の前後間および外周壁の前後間が開閉して屈曲可とされ、
前記シャッターは前記キャタピラ本体と同じ長さを備えると共に長さ方向と直交方向の断面形状がコ字形であり、該シャッターの左右両側部が前記ブロックの左右両側壁の内面に沿うと共に該シャッターの中央連結部が前記ブロックの外周壁の内面に沿い、かつ、隣接する前記ブロックの左右両側壁の前後間および外周壁の前後間の隙間を通して延在し、該隙間を外部から遮断している構成であることを特徴とするワイヤハーネスの外装材を提供している。
【００１２】
前記キャタピラ本体は樹脂成形品からなり、前記シャッターは押出成形品からなる。
前記各ブロックは、前記底壁の左右両端から第１縦壁と第２縦壁とからなる前記左右側壁を突設している断面凹形状の基部と、該基部の第１縦壁の先端に薄肉ヒンジ部を介して連続させた蓋部を備え、該蓋部と前記第２縦壁に設けたロック部と被ロック部をロックしてワイヤハーネス挿通路となる中空部を有する四角枠となり、
前記底壁の前後下部にストッパー部を設け、隣接するブロックの前記ストッパー部同士が接触して屈曲時の曲げ角度を維持する構成としている。
【００１３】
前記キャタピラ本体とシャッターからなる外装材は、ワイヤハーネスの電線群を集束保護する必要がある外装領域に連続して外装できる長さを有するものとしている。
ワイヤハーネスの電線群はキャタピラ本体の全ブロックの蓋部をあけて上面開口から基部内に連続して挿通し、その後、全ブロックの基部にシャッターを連続して挿入し、各ブロックの基部内および隣接するブロック間の隙間のワイヤハーネスを囲み、その後、蓋部を閉じてブロックの基部と蓋部とをロックして四角枠としている。
【００１４】
前記シャッターは伸縮可としたゴム等の素材で形成しているため、キャタピラ本体の屈曲を阻害せず、キャタピラ本体の屈曲にスムーズに追従させることができる。かつ、前記の手順で組み立てると、キャタピラ本体の各ブロックの蓋部を基部にロック結合する際に、シャッターでワイヤハーネスを覆っているため、蓋部を閉める時に電線のロック部への噛み込みを防止できる。
さらに、前記シャッターは、ゴム等を連続的に押し出して成形する押出成形品であるため、コストを安価に抑えることができる。
【００１５】
前記外装材の長さ方向の両端で引き出されるワイヤハーネスの電線群は両端とブロックとをテープ巻き固着して、外装材とワイヤハーネスを固着している。このように、長さ方向の両端はワイヤハーネスと固着しているが、その間ではワイヤハーネスと固着せず、かつ、隣接するブロックは底壁同士を薄肉ヒンジ部を介して屈曲自在に連結しているため、屈曲自在にワイヤハーネスを外装する機能を有する。
【００１６】
前記本発明のキャタピラ型の外装材では、隣接するブロックの底壁同士は薄肉ヒンジ部を介して連結しているが、蓋部からなる上壁は分離し、ブロックを直線状に配置した状態で隣接するブロックとの間にスリットが存在する程度に近接させているため、隣接する蓋部同士を前記薄肉ヒンジ部を支点として互いに離反する方向に屈曲できるが、互いに近接する方向に屈曲すると蓋部同士が衝突干渉して屈曲できない。
よって、本発明の外装材は、前記特許文献１で提示したキャタピラ型の外装材と同様に、四角枠の各ブロックの蓋部を外周側として屈曲できるが、蓋部を内周側とする屈曲はできず、屈曲方向を一方向に規制できるキャタピラ型の外装材となる。
【００１７】
かつ、本発明の外装材では、前記四角枠の底壁間の薄肉ヒンジ部が変形して屈曲すると、隣接するブロックの左右両側壁の前後間および蓋部の前後間は分離しているため隙間が発生する。しかしながら、前記隙間は前記シャッターで囲まれているため、隙間は閉鎖され、隙間から異物が侵入するのを防止できるとともに、内部に挿通するワイヤハーネスの電線が隙間からはみ出すのを防止することができる。さらに、ワイヤハーネスをシャッターで囲むため、隙間の部分で外部からワイヤハーネスをシャッターで隠すことができ、見栄え向上を図ることができる。
【００１８】
前記キャタピラ本体の前後に隣接するブロックの間で、左右両側壁の前後間の隙間は外周側の蓋部側に向けて扇形に広がり、内周側となる底壁側は収縮方向に変形する。該隙間に延在する前記シャッターは、ゴム、エラストマー、軟質樹脂あるいはフエルト等の繊維材で形成し、伸縮性且つ保形性を有するもので形成しているため、前記隙間の形に追従して変形させることができる。
【００１９】
かつ、前記シャッターの底壁側が扇状に収縮する際、厚さ方向にギャザー（シワ）が生じる状態となるため、前記ブロックの左右両側壁の内面と前記シャッターの左右両側部の間に前記シワを吸収できる空間をあけている。この空間幅はシャッターの肉厚の２倍程度の幅とすることが好ましい。
【００２０】
前記本発明のワイヤハーネスの外装材は、自動車に搭載するスライドシートとフロアとの間に配索するスライドシート用のワイヤハーネスの外装材として好適に用いられる。  具体的には、前記スライドシート用のワイヤハーネスは、フロアハーネスの幹線から分岐する枝線からなる電線群、前記枝線にコネクタ接続する電線群、あるいは前記スライドシート内に配索するシートハーネスからフロア側へ延在させて前記フロアハーネスとコネクタ接続する電線群からなり、スライドシートの下面と車室床材下方のフロアパネルとの間に前記外装材で外装した状態で横向きＪ形状に配索される。詳細には、スライドシート側との固定点からスライドシート下方に引き出される外装材は、その上壁（前記蓋部）をスライドシートの下面に沿って前後方向に延在し、前後方向の一端側で下方にＵ字状に湾曲した後に水平に延在し、その先端をフロア側に固定している。
【００２１】
前記のように、スライドシートの下方に沿って配索するワイヤハーネスを前記外装材で外装すると、該外装材の外面に隙間があると異物混入が発生しやすいが、本発明の外装材では前記シャッターで隙間を覆っているため、異物混入を防止でき、かつ、隙間から内部を挿通する電線がはみ出すことも防止できる。よって、ワイヤハーネスの損傷発生を防止でき、スライドシートの移動にワイヤハーネスをスムーズに追従させることができる。
【発明の効果】
【００２２】
前記本発明のワイヤハーネスの外装材は、前後に隣接するブロックの底壁を薄肉ヒンジ部を介して順次連続し、左右両側壁および上壁（蓋部）はブロック間で分離しているキャタピラ本体に、シャッターを組みつけ、前記ブロックの左右両側壁および上壁（蓋部）の前後間の隙間を覆っているため、隙間からの異物混入および隙間を通した電線のはみ出しを確実に防止できる。
さらに、ブロックを前後に連続して形成するキャタピラ本体内を通すワイヤハーネスを前記シャッターで囲んで外部より視認できないようにするため、見栄え向上を図ることができる。
【図面の簡単な説明】
【００２３】
【図１】（Ａ）（Ｂ）は本発明の実施形態のワイヤハーネスの外装材を示す斜視図である。
【図２】（Ａ）は前記外装材のキャタピラ本体の斜視図、（Ｂ）は前記外装材のシャッターの斜視図である。
【図３】前記キャタピラ本体の各ブロックを拡大して示し、（Ａ）は概略平面図、（Ｂ）は概略底面図、（Ｃ）は（Ａ）のＣ−Ｃ線拡大断面図、（Ｄ）はブロックの基部より蓋を開いた状態の斜視図である。
【図４】前記キャタピラ本体にワイヤハーネスおよびシャッターを取り付けた状態を示し、（Ａ）は図１のＡ−Ａ線断面図、（Ｂ）は図１のＢ−Ｂ線断面図である。
【図５】スライドシート用のワイヤハーネスを前記外装材で外装した状態を示し、（Ａ）は概略全体構成図、（Ｂ）はワイヤハーネスの斜視図、（Ｃ）は（Ｂ）の一部拡大図である。
【図６】（Ａ）〜（Ｃ）は従来例を示す図面である。
【発明を実施するための形態】
【００２４】
以下、本発明のワイヤハーネスの外装材の実施形態を図１乃至図５を参照して説明する。
図１に本発明のキャタピラ型の外装材１を示す。該外装材１は図２（Ａ）に示す射出成形した樹脂製のキャタピラ本体２と図２（Ｂ）に示すゴムの連続押出成形品からなる異物遮断用のシャッター３とを組み合わせて構成している。
【００２５】
キャタピラ本体２は、図１、図２（Ａ）および図３（Ａ）〜（Ｄ）に示すように、複数の四角枠状となる各ブロック１０を薄肉ヒンジ部１３を介して、順次前後方向に連続させた形状としている。各ブロック１０は断面凹形状の基部１１と蓋部１２とからなり、基部１１の底壁１１ａの前後両端を前記薄肉ヒンジ部１３を介して前後に隣接するブロック１０を順次連結していると共に、連結したブロック１０の中空部を前後方向のワイヤハーネス挿通路１４としている。底壁１１ａを薄肉ヒンジ部１３を介して連結したキャタピラ本体２は図２（Ａ）で示す矢印方向の一方向にのみ屈曲できるようにし、外装材１が図１（Ｂ）に示す直線状態から図１（Ａ）に示す湾曲状態に一方向にのみ屈曲可能としている。
【００２６】
四角枠状の各ブロック１０の基部１１は、底壁１１ａの左右両端から第１縦壁１１ｂと第２縦壁１１ｃとからなる左右両側壁を突設し、外形を断面凹形状としている。基部１１の第１縦壁１１ｂの先端に薄肉ヒンジ部１５を介して蓋部１２を連続して設けている。蓋部１２の先端にロック爪１２ａを設けると共に第２縦壁１１ｃにロック枠１１ｄを設け、該ロック枠１１ｄにロック爪１２ａを挿入係止してロックしている。かつ、底壁１１ａの内面から図３（Ｃ）に示すように左右一対のリブ１１ｅ、１１ｆを突設し、リブ１１ｅ、１１ｆ、底壁１１ａの中央部および蓋部１２に囲まれた前記ワイヤハーネス挿通路１４を形成している。
【００２７】
また、各ブロック１０の底壁１１ａの前後下部にストッパー部１６ａ、１６ｂを突設している。前後に隣接するブロック１０のストッパー部１６ａと１６ｂが接触して屈曲時の曲げ角度を設定角度に維持する構成としている。
【００２８】
図２（Ｂ）に示すシャッター３はキャタピラ本体２と同等の長さとしている。前後長さ方向Ｘと直交する幅方向Ｙの断面形状をコ字形としており、左右両側部３ａと３ｂの上端を中央連結部３ｃで連結した形状である。該シャッター３の左右両側部３ａと３ｂをブロック１０の第１縦壁１１ｂと第２縦壁１１ｃとからなる左右両側壁の内面に空間Ｃ１、Ｃ２をあけて沿わせるとともに、シャッター３の中央連結部３ｃをブロックの外周壁となる蓋部１２の内面に沿わせている。
【００２９】
詳細には、図４（Ａ）に示すように、ブロック１０の第１縦壁１１ｂとリブ１１ｅの空間Ｃ１に左側部３ａ、第２縦壁１１ｃとリブ１１ｆの空間Ｃ２に右側部３ｂを挿通している。空間Ｃ１、Ｃ２の幅寸法ＣＬは左右側部３ａ、３ｂの各肉厚（ｔ）の略倍（ｔ≒１／２×ＣＬ）としている。このように、シャッター３の左右両側部３ａ、３ｂをそれぞれ挿通しても空間Ｃ１、Ｃ２に隙間をあけているのは、外装材１が屈曲して底壁１１ａ側の内周側が縮径すると、屈曲箇所のシャッター３の左右両側部３ａ、３ｂの底側に縮径の為のシワ（波形凹凸）が発生するため、このシワを吸収できるように隙間をあけている。
【００３０】
また、シャッター３の上部となる中央連結部３ｃは蓋部１２（外周壁）の内面に沿う。
前記のように、各ブロック１０の基部１１の左右両側壁と蓋部（上壁）１２の内面にシャッター３を沿わせると共に、前後に隣接するブロック１０の左右両側の隙間Ｓ１、Ｓ２と蓋部１２の前後の隙間Ｓ３を塞ぐように延在し、隙間Ｓ１、Ｓ２、Ｓ３を外部から遮断する。
【００３１】
前記構成とするキャタピラ型の外装材１は、キャタピラ本体２の蓋部１２を開いた状態で、前後方向に連続する基部１１の中空部であるワイヤハーネス挿通路１４にワイヤハーネス２０を上方開口から挿通する。その後、シャッター３の左右両側部３ａ、３ｂを基部１１の左右空間Ｃ１、Ｃ２に挿通すると共に、中央連結部３ｃをワイヤハーネス挿通路１４に挿通しているワイヤハーネス２０に被せて取り付ける。
その後、各ブロック１０の蓋部１２を閉じて、ロック爪１２ａをロック枠１１ｄに挿入係止して各ブロック１０を四角枠にロックする。
【００３２】
前記のように、ワイヤハーネス２０をキャタピラ型の外装材１で外装すると、図１（Ｂ）に示すように直線状に配置した状態で、隣接するブロック１０の左右両側の前後間の隙間Ｓ１、Ｓ２、蓋部１２の前後間の隙間Ｓ３が近接しているため、基部１１の底壁側の薄肉ヒンジ部１３を支点として互いに離反する方向に屈曲できるが、互いに近接する方向に屈曲すると、上部同士が衝突干渉して屈曲できない。かつ、薄肉ヒンジ部１３を変形させて屈曲する際、前後のブロック１０のストッパー部１６ｂと１６ａとが当接した位置で屈曲が停止し、外装材１の屈曲角度を所定角度に保持できる。
前記構成のキャタピラ型の外装材１は、前記特許文献１で提示したキャタピラ型の外装材と同様に、四角枠とする各ブロック１０の蓋部１２を外側面、基部の底壁１１ａを内側面として屈曲できるが、蓋部１２を内周面とする屈曲はできず、屈曲方向を一方向に規制できるキャタピラ型の外装材となる。
【００３３】
かつ、外装材１のキャタピラ本体２のみでは前後に連続させるブロック１０の間に隙間Ｓ１〜Ｓ３が発生するが、薄肉ヒンジ部１３を介して連続するブロック１０内にシャッター３を通すと共に、前後のブロック１０の間の隙間Ｓ１、Ｓ２、Ｓ３を覆うようにシャッター３を延在させてワイヤハーネス２０を囲んでいる。よって、隙間Ｓ１、Ｓ２、Ｓ３を通して外部から小石や釘等の異物がブロック１０内に混入するのを防止できる。かつ、前記隙間を通してワイヤハーネス２０の電線の一部が外部へはみ出すのを防止できる。
かつ、シャッター３をゴムで形成しているため、キャタピラ本体の屈曲作動にスムーズに追従でき、シャッター３の組みつけで外装材１の屈曲機能が阻害されない。
【００３４】
前記外装材１でワイヤハーネス２０を外装した状態で、図５に示すように、自動車に搭載するスライドシート１５０に配索している。
前記ワイヤハーネス２０はフロアハーネスの幹線から分岐するワイヤハーネスで、該ワイヤハーネス２０の先端をスライドシート１５０の下面に固定し、該スライドシート１５０の下面と車室床材１６０の間に前後方向に直線状に配索した後に後端側で下向きに屈曲した後に前方へ直線状に配索し、言わば、横向きＵ形状に配索して、車室床材１６０に固定している。なお、図中、１７０はシートレールである。
外装材１の長さ方向の両端で引き出されるワイヤハーネス２０の電線群は両端のブロック１０とテープ巻き固着して、外装材１とワイヤハーネス２０を固着している。
【００３５】
スライドシート１５０の前後移動に追従して、外装材１で外装したワイヤハーネス２０の上面は前後方向に移動する。この移動時に外装材１の後端側の屈曲部分Ｂには、連続するブロック１０の左右両側に隙間Ｓ１、Ｓ２および蓋部１２の間に隙間Ｓ３が発生するが、この隙間Ｓ１〜Ｓ３はシャッター３で覆うことができる。よって、隙間がある場合に発生する異物の混入およびワイヤハーネス２０の電線のはみ出しを防止できる。かつ、隙間Ｓ１〜Ｓ３を通してワイヤハーネス２０の電線が外部に露出するのを防止でき、見栄え向上を図ることができる。
【００３６】
本発明の外装材１は前記スライドシートに配索するワイヤハーネスの外装材に限定されず、他の箇所に屈曲自在に配索されるワイヤハーネスの外装材としても好適に利用できる。また、シャッターはゴム製に限定されず、縮んだ後に元に戻る伸縮性、断面逆Ｕ字形の保形性を有すれば、エラストマー、軟質樹脂、フェルト等の繊維材から形成してもよい。
【符号の説明】
【００３７】
１  外装材
２  キャタピラ本体
３  シャッター
１０  ブロック
１１  基部
１１ａ  底壁
１１ｂ  第１縦壁
１１ｃ  第２縦壁
１２  蓋部
１３  薄肉ヒンジ部
２０  ワイヤハーネス
１５０  スライドシート
１６０  車室床材
【図１】
2017085741.tif 000003
【図２】
2017085741.tif 000004
【図３】
2017085741.tif 000005
【図４】
2017085741.tif 000006
【図５】
2017085741.tif 000007
【図６】
2017085741.tif 000008